(57)【特許請求の範囲】
【請求項１】
構造物の側面に設置される壁面緑化ユニットであって、
前記構造物の側面に近接し、該側面に沿って配置されるとともに、前記側面側とは反対の側に少なくとも一つの穴部が設けられたロックウールシートと、
前記ロックウールシートの表面を覆い、かつ、前記ロックウールシートの穴部が露出するように開口された不織布と、
前記ロックウールシートの前記穴部に収容された植栽と
を備え、
前記ロックウールシートは、前記側面に沿う方向の長さが２００〜７５０ｍｍの範囲であり、かつ、１１０〜１９０ｋｇ／ｍ３の乾燥時密度を有し、
前記ロックウールシートを構成する繊維の配向方向が前記側面の高さ方向に沿う、壁面緑化ユニット。
【請求項２】
前記不織布の目付が１００〜３００ｇ／ｍ２であり、前記不織布が導水性を有する、請求項１に記載の壁面緑化ユニット。
【請求項３】
前記ロックウールシートの下部平均含水率が５５〜９０％、かつ、上部平均含水率が３０〜５０％であり、
前記下部平均含水率と前記上部平均含水率との差が２５％以上である、請求項１または２に記載の壁面緑化ユニット。
【請求項４】
前記側面側とは反対の側において、前記不織布からの距離が０〜５ｃｍの位置に設けられた網状体をさらに備える、請求項１〜３のいずれか一項に記載の壁面緑化ユニット。
【請求項５】
前記構造物の側面に沿う複数のレールを備え、
前記複数のレールの間で支持されるように、請求項１〜４のいずれか一項に記載の壁面緑化ユニットが配置されている、壁面緑化システム。
【発明の詳細な説明】
【技術分野】
【０００１】
本発明は、壁面緑化ユニットおよび壁面緑化システムに関する。
【背景技術】
【０００２】
近年、建築物等の壁面等を緑化する壁面緑化において、意匠性向上の要求が高まっている。壁面緑化の意匠性をより高めるためには、多種の植物を一つの壁面緑化ユニット内で育成することが有効である。
【先行技術文献】
【特許文献】
【０００３】
【特許文献１】特表２０１３−５０９８８６号公報
【特許文献２】特開２００５−２７００２０号公報
【特許文献３】特開２００５−１３７３６８号公報
【特許文献４】特開２００１−４５８６１号公報
【発明の概要】
【発明が解決しようとする課題】
【０００４】
通常、植物の育成に必要な水の量は、植物の種類によって異なる。そのため、所定の量の水分を複数種類の植物に給水した場合、ある植物にとっては育成に必要な水分量であるが、他の植物にとっては水分量が多すぎて育成の妨げとなることも十分に考えられる。
【０００５】
そのため、育成に必要な水分量が異なる複数種類の植物を、同じ壁面緑化ユニットで育成することは非常に困難であった。
【０００６】
発明者らは、鋭意研究の末、育成に必要な水分量が異なる植物の育成に適した壁面緑化ユニットおよびそれを用いた壁面緑化システムを新たに見出した。
【０００７】
すなわち、本発明は、複数種類の植物の育成に適した壁面緑化ユニットおよび壁面緑化システムを提供することを目的とする。
【課題を解決するための手段】
【０００８】
本発明の一形態に係る壁面緑化ユニットは、構造物の側面に設置される壁面緑化ユニットであって、構造物の側面に近接し、該側面に沿って配置されるとともに、側面側とは反対の側に少なくとも一つの穴部が設けられたロックウールシートと、ロックウールシートの表面を覆い、かつ、ロックウールシートの穴部が露出するように開口された不織布と、ロックウールシートの穴部に収容された植栽とを備え、ロックウールシートは、側面に沿う方向の長さが２００〜７５０ｍｍの範囲であり、かつ、１１０〜１９０ｋｇ／ｍ３の乾燥時密度を有し、ロックウールシートを構成する繊維の配向方向が側面の高さ方向に沿う。
【０００９】
上記壁面緑化ユニットにおいては、ロックウールシートが、２００〜７５０ｍｍの側面に沿う方向の長さおよび１１０〜１９０ｋｇ／ｍ３の乾燥時密度を有し、このようなロックウールシートが、表面を不織布で覆われた状態で、構成する繊維の配向方向が構造物の側面の高さ方向に沿うように配置されている。それにより、ロックウールシートの下部における平均含水率が高く、かつ、上部における平均含水率が低くなっており、複数種類の植物の共存に適した含水率分布が実現されている。すなわち、育成に必要な水分量が多い植物をロックウールシート下部に設けた穴に収容し、育成に必要な水分量が少ない植物をロックウールシート上部に設けた穴に収容することで、複数種類の植物それぞれに対して適量の水分が供給および保持される。
【００１０】
また、不織布の目付が１００〜３００ｇ／ｍ２であり、不織布が導水性を有する態様であることが好ましい。
【００１１】
また、ロックウールシートの下部平均含水率が５５〜９０％、かつ、上部平均含水率が３０〜５０％であり、下部平均含水率と上部平均含水率との差が２５％以上である態様であることが好ましい。
【００１２】
また、側面側とは反対の側において、不織布からの距離が０〜５ｃｍの位置に設けられた網状体をさらに備える態様であってもよい。
【００１３】
本発明の一形態に係る壁面緑化システムは、構造物の側面に沿う複数のレールを備え、複数のレールの間で支持されるように、上記壁面緑化ユニットが配置されている。
【発明の効果】
【００１４】
本発明によれば、複数種類の植物の育成に適した壁面緑化ユニットおよび壁面緑化システムが提供される。
【図面の簡単な説明】
【００１５】
【図１】図１は、実施形態に係る壁面緑化システムの構成を示す図である。
【図２】図２は、図１のＩＩ−ＩＩ線断面図である。
【図３】図３は、実施例に係る各壁面緑化システムの特性を示した表である。
【発明を実施するための形態】
【００１６】
以下、本発明を実施するための形態について、添付図面を参照しつつ詳細に説明する。なお、同一又は同等の要素については同一の符号を付し、説明が重複する場合にはその説明を省略する。
【００１７】
図１および図２に示すように、実施形態に係る壁面緑化システム１は、構造物の側面１０に近接して設置される。本明細書における「構造物」には、人の居住を目的とした建築物や建造物と、人の居住を目的としない塔や橋梁等の構築物も含まれる。構造物の側面１０は、たとえば建築物又は構築物の壁面である。建築物又は構築物の壁面は、建築物又は構築物（たとえば、マンション、立体駐車場、スタジアム、ショッピングモール等）にみられる傾斜角度８０度以上９０度以下の斜面と定義することができる。なお、構造物の側面１０は、建築物の壁面に限らず、土木構造物の法面などであってもよい。土木構造物の法面は、土木構造物（たとえば、住宅造成地、道路、ダム等）にみられる傾斜角度３０度以上８０度未満の斜面と定義することができる。より高い意匠性をもつ態様の緑化が求められることから、実施形態に係る壁面緑化システム１は、建築物又は構築物の壁面に好適に用いられる。
【００１８】
壁面緑化システム１は、図１および図２に示すように、構造物の側面１０に沿って水平方向に延びる２本のレール２０Ａ、２０Ｂと、２本のレール２０Ａ、２０Ｂの間で支持されるように配置された壁面緑化ユニット３０とを備えて構成されている。なお、図１においては、２本のレール２０Ａ、２０Ｂ間に一つの壁面緑化ユニット３０のみを示しているが、レール２０Ａ、２０Ｂを伸長して、複数の壁面緑化ユニット３０を並べて配置する構成としてもよい。
【００１９】
壁面緑化ユニット３０は、ロックウールシート３２と、ロックウールシート３２の表面を覆う不織布３４と、植栽４０とを備える。
【００２０】
ロックウールシート３２は、板状のロックウールであり、側面１０の上下方向に沿う方向の長さ（高さ）が２００〜７５０ｍｍの範囲となり、側面１０の水平方向に沿う方向の長さ（幅）が４００〜１５００ｍｍの範囲となり、厚さが２０〜９０ｍｍの範囲となるように設計されている。ロックウールシート３２の高さは、より好ましくは３５０〜６５０ｍｍの範囲である。ロックウールシート３２の幅は、より好ましくは４５０〜１０００ｍｍの範囲である。ロックウールシート３２の厚さは、より好ましくは３０〜５０ｍｍの範囲である。なお、ロックウールシート３２の寸法（高さ、幅、厚さ）は、ロックウールシートを、１００℃の温度条件下で２４時間乾燥させた後に測定したものを意味する。ロックウールシート３２は、一枚のシートで構成されているが、必要に応じて複数のシートを積層して構成してもよい。また、ロックウールシート３２は、１１０〜１９０ｋｇ／ｍ３の乾燥時密度を有する。乾燥時密度とは、ロックウールシートを、１００℃の温度条件下で２４時間乾燥させた後の密度である。ロックウールシートの寸法や乾燥時密度が変わると、それに応じてロックウールシート３２の保水力、重量、強度が変わる。
【００２１】
また、ロックウールシート３２は、複数の繊維（鉱物繊維）を含んで構成されており、各繊維は所定の一方向に沿って配向されている。なお、ロックウールを構成する各繊維には多少のうねりがあるため、配向方向を厳密に一方向に定めることは困難であるが、ロックウールシート作製時（繊維径３〜７μｍ、長さ２０〜８０ｍｍの鉱物繊維を往復運動する繊維供給器から落下させ、堆積（積層）させていくことにより作製される）に設定された繊維積層方向（積層時の下方から上方に向かう方向）に基づき、ロックウールシートを構成する繊維の配向方向を、繊維積層方向に垂直な方向として定めることが可能である。特に設置時においては、ロックウールシート３２は、図２の矢印に示すとおり、側面１０に近接して配置され、かつ、その繊維の配向方向が側面１０の高さ方向に沿っている。すなわち、ロックウールシート３２の繊維の配向方向が、側面１０の高さ方向に対して平行または略平行となっている。
【００２２】
また、ロックウールシート３２は、設置時において、側面１０側とは反対の側になる面に、後述する植栽４０を収容するための穴部３２ａが複数設けられている。穴部３２ａは、図２に示すように、ロックウールシート３２を貫通するように設けることができる。なお、穴部３２ａの深さを、ロックウールシート３２の厚さよりも浅くして、穴部３２ａがロックウールシート３２を貫通しないように設けてもよい。植栽４０が安定的に収容されるという観点からは、穴部３２ａは、ロックウールシート３２を貫通するように設けることが好ましい。穴部３２ａの側面１０の高さ方向に対して平行な断面は、たとえば、円形断面であって、たとえば３〜２０ｃｍの範囲の、より好ましくは、５〜１５ｃｍの範囲の直径を有し、１５〜９０ｍｍの範囲の、より好ましくは、２５〜５０ｍｍの範囲の深さを有する。穴部３２ａの側面１０の高さ方向に対して平行な断面は、上述した円形断面以外に、楕円形断面や多角形断面等であってもよい。
【００２３】
本実施形態において、不織布３４は、袋状の不織布であり、ロックウールシート３２全体を収容している。そのため、不織布３４は、ロックウールシート３２の全ての面（すなわち、側面１０側の面、その反対側の面、および、各側面の全て）を覆う。袋状の不織布を採用し、その中にロックウールシート３２を入れることで、ロックウールシート３２の全ての面を不織布で覆う作業の容易化が図れている。なお、不織布３４は、必ずしも袋状である必要はなく、複数のシート状の不織布を用いて、ロックウールシート３２の表面を覆ってもよい。また、不織布３４は、植物育成を可能にするという観点からは、ロックウールシート３２の側面１０側の面およびその反対側の面を覆い、各側面を覆わない態様とすることも可能であるが、作業の容易性の観点から、ロックウールシート３２の全ての面を覆うことが好ましい。
【００２４】
不織布３４の目付は、たとえば１００〜３００ｇ／ｍ２の範囲であり、不織布３４が導水性を有することが好ましい。なお、導水性とは、室温（２０〜２５℃）で、垂直にした不織布３４の下端を水に浸けた状態で、３０分間に８０ｍｍ以上、水を吸い上げる性能を有することを意味する。不織布３４が導水性を有することで、ロックウールシート３２の下部又は下方から一度ロックウールシート３２外に排出された水分が不織布３４を伝って上方に引き上げられ、ロックウールシート３２の上部に再度供給されることで水分の循環が促進される。また、不織布３４には、ロックウールシート３２に設けられた穴部３２ａが露出するように、各穴部３２ａに対応する領域に開口３４ａが設けられている。
【００２５】
植栽４０は、不織布３４の開口３４ａを介して、ロックウールシート３２の各穴部３２ａに収容される。植栽４０は、図２に示したように培地に植え付けられた低木や草花等の植物に限らず、培地を伴わない植物自体や、培地に植え付けられた後に通水可能な容器に収容された植物であってもよい。植栽４０には、土壌や人工軽量土壌、ロックウール等の培地を用いることができる。
【００２６】
本実施形態では、壁面緑化ユニット３０に、育成に必要な水分量が異なる複数の植物の植栽４０が配置される。具体的には、ロックウールシート３２の上部に設けられた穴部３２ａには育成に必要な水分量が少ない植栽４０Ａを収容し、ロックウールシート３２の下部に設けられた穴部３２ａには育成に必要な水分量が多い植栽４０Ｂを収容している。なお、育成に必要な水分量が少ない植栽４０Ａとしては、たとえば、カモミール、タイム、オレガノ、ハイネズ等が挙げられる。一方、育成に必要な水分量が多い植栽４０Ｂとしては、たとえば、シダ類、ワイヤープランツ等が挙げられる。
【００２７】
そして、上述した構成の壁面緑化ユニット３０が、２本のレール２０Ａ、２０Ｂの間で支持されるように配置されている。
【００２８】
壁面緑化ユニット３０の下側に位置し、壁面緑化ユニット３０を下方から支持する下レール２０Ｂは、上側が開放されたＵ字状断面を有する。ロックウールシート３２の下端が下レール２０Ｂの底まで達するように、ロックウールシート３２および下レール２０Ｂが配置されている。そのため、下レール２０Ｂ内に存在する水は、ロックウールシート３２および不織布３４によってある程度吸い上げられる。下レール２０Ｂは、余剰な水分を水平方向に流して系外に排出する排水手段としても機能する。
【００２９】
壁面緑化ユニット３０の上側に位置する上レール２０Ａは、下側が開放されたＵ字状断面を有する。上レール２０Ａは、上レール２０Ａと平行に延びる灌水管５０を収容する。灌水管５０は、たとえば直径が８〜２０ｍｍの範囲のパイプである。灌水管５０は、図示しない給水タンクまたは水栓から延びており、降雨量が少ないとき等、植栽４０に必要な水分が不足するときに、ロックウールシート３２に水を供給する。灌水管５０の周面には、図示しない給水口が設けられており、その給水口を介して、灌水管５０からロックウールシート３２に対して給水がおこなわれる。
【００３０】
上レール２０Ａは、図２に示すように、ロックウールシート３２の上端を保持し、上レール２０Ａとロックウールシート３２の上端とにより灌水管５０を挟持する。
【００３１】
上述したとおり、ロックウールシート３２を構成する繊維の配向方向が側面１０の高さ方向に沿っているため、灌水管５０からロックウールシート３２に給水された水は、ロックウールシート３２の上端から下端に向けて滞りなく流れる。そして、ロックウールシート３２の下端に達した水は、下レール２０Ｂ内に流れ込んだ後、ある程度の量の水がロックウールシート３２および不織布３４によって吸い上げられ、ロックウールシート３２内を循環する。そのため、ロックウールシート３２の上側部分に比べて下側部分は多くの水を保水することとなり、その結果、高さ位置に応じて、ロックウールシート３２が含む水分量が異なる。すなわち、ロックウールシート３２の下側部分における平均含水率（下部平均含水率）が、ロックウールシート３２の上側部分における平均含水率（上部平均含水率）よりも高くなる。
【００３２】
上述したロックウールシート３２において、上部平均含水率は３０〜５０％の範囲である。上部平均含水率は、デカゴン（ＤＥＣＡＧＯＮ  ＤＥＶＩＣＥＳ）社製の土壌水分センサー（ＥＣ−５）を用いて、ロックウールシートの上端から、ロックウールシートの高さの１／６の地点の複数箇所（３箇所以上）において含水率を測定し、それらの測定結果の平均を算出することにより求めた値である。このようなロックウールシート３２の上側部分には、育成に必要な水分量が少ない植栽４０Ａが配置される。
【００３３】
一方、ロックウールシート３２において、下部平均含水率が５５〜９０％の範囲である。下部平均含水率は、上記の土壌水分センサーを用いて、ロックウールシートの下端から、ロックウールシートの高さの１／６の地点の複数箇所（３箇所以上）において含水率を測定し、それらの測定結果の平均を算出することにより求めた値である。このようなロックウールシート３２の下側部分には、育成に必要な水分量が多い植栽４０Ｂが配置される。
【００３４】
そして、上述した下部平均含水率と上部平均含水率との差が、２５％以上に設定され得る。上述した下部平均含水率と上部平均含水率との差の上限は、たとえば、６０％であり、上部平均含水率を一定以上の値とし、灌水停止時の植物の水枯れを防ぐという観点からは、４５％であることが好ましい。
【００３５】
なお、上述の上部平均含水率および下部平均含水率の両方に適した植物としては、ツルコウジ、オタフクナンテン等がある。
【００３６】
壁面緑化システム１は、側面１０の側とは反対の側に網状体６０を備えており、網状体６０によりロックウールシート３２や植栽４０が保持されている。網状体６０は、たとえば金網であり、ステンレス材や亜鉛めっきされた鉄材等で構成され得る。網状体６０の網目の大きさはたとえば２〜１０ｃｍであり、線材の太さは２〜１０ｍｍであるが、植栽４０の大きさやロックウールシート３２の重量等に応じて適宜選択される。
【００３７】
網状体６０は、不織布３４からの距離が０ｃｍの位置に設けて不織布３４に接するようにしてもよく、５ｃｍ以下の距離だけ不織布３４から離間させた状態で設けてもよい。
【００３８】
以上で説明したとおり、壁面緑化システム１および壁面緑化ユニット３０は、ロックウールシート３２の下部平均含水率が高く、かつ、上部平均含水率が低くなっており、複数種類の植物４０Ａ、４０Ｂの共存に適した含水率分布が実現されている。すなわち、育成に必要な水分量が多い植物４０Ｂをロックウールシート下部に設けた穴部３２ａに収容し、育成に必要な水分量が少ない植物４０Ａをロックウールシート上部に設けた穴部３２ａに収容することで、複数種類の植物４０Ａ、４０Ｂそれぞれに対して適量の水分が供給および保持される。
【００３９】
換言すると、壁面緑化システム１および壁面緑化ユニット３０によれば、多種類の植物の育成に十分な含水率を維持することができ、それと同時に、多種の植物の共存に十分な含水率分布を実現することができる。
【実施例】
【００４０】
以下では、図３の表を参照しつつ、上述した壁面緑化システムの実施例および比較例を示して、壁面緑化システムの各特性について説明する。
【００４１】
図３の表には、ロックウールシート３２における「高さ（ｍｍ）」、「乾燥時密度（ｋｇ／ｍ３）」および「壁面高さ方向に対する繊維の配向」、不織布の有無、ロックウールシート３２の下部平均含水率Ａ（％）、上部平均含水率Ｂ（％）およびそれらの差（Ａ−Ｂ）、ロックウールシート３２の下部および上部における植物の育成結果を評価した結果が示されている。
【００４２】
植物の育成結果は、適正な量の給水に関係する特性であり、植物が良く育つことは、給水の量が適正であることを意味する。図３の表において、ロックウールシート下部植物育成が「○」とは、育成に必要な水分量が多い植物の一つであるシダが３ヶ月間枯れずに生長し続けることを意味し、ロックウールシート下部植物育成が「×」とは、シダが３ヶ月以内に枯れてしまったことを意味する。また、図３の表において、ロックウールシート上部植物育成が「○」とは、育成に必要な水分量が少ない植物の一つであるカモミールおよび水分量が多くても少なくても生長する植物の一つであるツルノコウジのいずれも３ヶ月間枯れずに生長し続けることを意味し、ロックウールシート上部植物育成が「△」とは、ツルノコウジは３ヶ月間枯れないがカモミールが３ヶ月以内に枯れてしまったことを意味し、ロックウールシート上部植物育成が「×」とは、カモミールおよびツルノコウジのいずれも３ヶ月以内に枯れてしまったことを意味する。
（実施例１）
【００４３】
実施例１では、高さ６００ｍｍ、乾燥時密度１７０ｋｇ／ｍ３、かつ、繊維が側面１０の高さ方向に平行に配向している（高さ方向に沿っている）ロックウールシート３２と、目付１８０ｇ／ｍ２の不織布３４とを用いた。ロックウールシート３２の上端から１００ｍｍの位置に、直径５ｃｍでロックウールシート３２を貫通する円柱状の穴部３２ａを２つ設け、それらの穴部３２ａそれぞれに対応する位置の不織布３４に２つの開口３４ａを設け、一方には土壌に植え付けられたカモミールを、もう一方には同様に土壌に植え付けられたツルノコウジを収容した。また、ロックウールシート３２の下端から１００ｍｍの位置に、直径５ｃｍでロックウールシート３２を貫通する円柱状の穴部３２ａを設け、穴部３２ａに対応する位置の不織布３４に開口３４ａを設け、土壌に植え付けられたシダを収容した。
【００４４】
実施例１では、ロックウールシート３２の下部平均含水率および上部平均含水率はそれぞれ６５％、３５％であり、その差は３０％であった。
【００４５】
植物の育成に関しては、ロックウールシート下部植物育成およびロックウールシート上部植物育成ともに良好であった。
【００４６】
このように実施例１に係る壁面緑化システムは、複数種類の植物の育成に適している。
（実施例２）
【００４７】
実施例２では、高さ４００ｍｍのロックウールシート３２を用いたが、それ以外は実施例１と同じである。実施例２では、ロックウールシート３２の下部平均含水率および上部平均含水率はそれぞれ６５％、４０％であり、その差は２５％であった。
【００４８】
植物の育成に関しては、ロックウールシート下部植物育成およびロックウールシート上部植物育成ともに良好であった。
【００４９】
このように実施例２に係る壁面緑化システムも、複数種類の植物の育成に適している。
（比較例１）
【００５０】
比較例１では、高さ１６０ｍｍのロックウールシート３２を用いたが、それ以外は実施例１と同じである。比較例１では、ロックウールシート３２の下部平均含水率および上部平均含水率はともに７５％であり、その差はなかった。
【００５１】
植物の育成に関しては、ロックウールシート下部植物育成は良好であったが、ロックウールシート上部植物育成は良好ではなく、カモミールのほうが３ヶ月以内に枯れてしまった。これは、ロックウールシート３２の高さが低すぎたために、ロックウールシート３２の上部にまで多量の水が貯まり、育成に多量の水分を必要としないカモミールの育成環境が悪化したためである。
（比較例２）
【００５２】
比較例２では、高さ８００ｍｍのロックウールシート３２を用いたが、それ以外は実施例１と同じである。比較例２では、ロックウールシート３２の下部平均含水率および上部平均含水率はそれぞれ５０％、１０％であり、その差は４０％であった。
【００５３】
植物の育成に関しては、ロックウールシート下部植物育成およびロックウールシート上部植物育成ともに悪かった。これは、ロックウールシート３２の高さが高すぎたために、ロックウールシート３２の上部にも下部にも十分な水が行き渡らず、給水不足により全ての植物が３ヵ月以内に枯れたためである。
（比較例３）
【００５４】
比較例３では、乾燥時密度１００ｋｇ／ｍ３のロックウールシート３２を用いたが、それ以外は実施例１と同じである。比較例３では、ロックウールシート３２の下部平均含水率および上部平均含水率はそれぞれ６５％、２５％であり、その差は４０％であった。
【００５５】
植物の育成に関しては、ロックウールシート下部植物育成は良好であったが、ロックウールシート上部植物育成は悪かった。これは、ロックウールシート３２の乾燥時密度が低すぎたために、ロックウールシート上部において十分な保水ができず、保水量がツルノコウジの育成に必要な量にもカモミールの育成に必要な量にも達しなかったためである。
（比較例４）
【００５６】
比較例４では、繊維が側面１０の高さ方向に垂直に配向している（高さ方向に沿わない）ロックウールシート３２を用いたが、それ以外は実施例１と同じである。比較例４では、ロックウールシート３２の下部平均含水率および上部平均含水率はそれぞれ８０％、６５％であり、その差は１５％であった。
【００５７】
植物の育成に関しては、ロックウールシート下部植物育成は良好であったが、ロックウールシート上部植物育成は良好ではなく、カモミールのほうが３ヶ月以内に枯れてしまった。これは、ロックウールシート内を水が流れ落ちる向きに対して繊維が直交しているため、ロックウールシート上部に多量の水が留まり、その結果、育成に多量の水分を必要としないカモミールの育成環境が悪化したためである。
（比較例５）
【００５８】
比較例５では、不織布を用いなかったこと以外は実施例１と同じである。比較例５では、ロックウールシート３２の下部平均含水率および上部平均含水率はそれぞれ５０％、５％であり、その差は４５％であった。
【００５９】
植物の育成に関しては、ロックウールシート下部植物育成およびロックウールシート上部植物育成ともに悪かった。これは、不織布がないために、ロックウールシート３２の下部から上部への水の吸い上げが全く生じず、給水不足により全ての植物が３ヵ月以内に枯れたためである。
【００６０】
以上で説明したように、実施例１、２のように、ロックウールシート３２が、２００〜７５０ｍｍの側面に沿う方向の長さおよび１１０〜１９０ｋｇ／ｍ３の乾燥時密度を有し、このようなロックウールシート３２が、表面を不織布３４で覆われた状態で、ロックウールシート３２を構成する繊維の配向方向が構造物の側面１０の高さ方向に対して平行に配置されることで、複数種類の植物の育成に適した壁面緑化システムが実現される。
【００６１】
一方、上述の条件を一部満たさない比較例１〜５はいずれも、ロックウールシート下部植物育成およびロックウールシート上部植物育成のうちの少なくともいずれか一方を満足しないため、このような壁面緑化システムは複数種類の植物の育成に適さない。
【符号の説明】
【００６２】
１…壁面緑化システム、１０…側面、２０Ａ、２０Ｂ…レール、３０…壁面緑化ユニット、３２…ロックウールシート、３２ａ…穴部、３４…不織布、３４ａ…開口、４０…植栽、５０…灌水管、６０…網状体。
【要約】
【課題】  複数種類の植物の育成に適した壁面緑化ユニットおよび壁面緑化システムを提供する。
【解決手段】
壁面緑化ユニット３０は、ロックウールシート３２の下部平均含水率が高く、かつ、上部平均含水率が低くなっており、複数種類の植物４０Ａ、４０Ｂの共存に適した含水率分布が実現されている。すなわち、育成に必要な水分量が多い植物４０Ｂをロックウールシート下部に設けた穴部３２ａに収容し、育成に必要な水分量が少ない植物４０Ａをロックウールシート上部に設けた穴部３２ａに収容することで、複数種類の植物４０Ａ、４０Ｂそれぞれに対して適量の水分が供給および保持される。
【選択図】  図２【図１】
0006052383.tif 000002
【図２】
0006052383.tif 000003
【図３】
0006052383.tif 000004